(57)【特許請求の範囲】
【請求項１】
公衆回線に接続され、ナンバーディスプレイ関連サービス機能のオン・オフを設定する設定機能を自動学習させる電話装置において、
前記電話装置は、ナンバーディスプレイ機能のオン・オフを設定するオン・オフ設定領域とナンバーディスプレイ情報の受信エラー回数をカウントするエラーカウント領域と学習結果領域とを含むナンバーディスプレイ設定の領域を有するメモリと、モデム信号によりナンバーディスプレイ情報を受信した際、該ナンバーディスプレイ情報の受信エラーの原因を検出するエラー検出部を有する制御部と、を備え、
前記エラー検出部が、モデム信号により受信するナンバーディスプレイ情報の受信エラーとすべきでないエラー事象を検出した場合は、前記エラーカウント領域のエラーカウントを行わないようになしたことを特徴とする電話装置。
【請求項２】
前記エラー検出部が、モデム信号により受信するナンバーディスプレイ情報の受信中に相手方の操作による外的要因に基づく通話エラーを検出した場合は、前記エラーカウント領域のエラーカウントを行わないようになしたことを特徴とする請求項１に記載の電話装置。
【請求項３】
前記エラー検出部が、モデム信号により受信するナンバーディスプレイ情報の受信中に回線極性の復極に基づく通話エラーを検出した場合は、前記エラーカウント領域のエラーカウントを行わないようになしたことを特徴とする請求項１に記載の電話装置。
【請求項４】
前記エラー検出部が、モデム信号により受信するナンバーディスプレイ情報の受信を完了し、該ナンバーディスプレイ情報のデータエラーを検出した場合、前記エラーカウント領域のエラーカウントを行わないようになしたことを特徴とする請求項１に記載の電話装置。
【発明の詳細な説明】
【技術分野】
【０００１】
本発明は、着信時に発信元電話番号を表示手段に表示するなどの、いわゆる、ナンバーディスプレイ関連サービス機能のオン・オフ設定の機能を自動的に学習させることができる電話装置に関するものであり、特に、着信時にモデム信号で受信するナンバーディスプレイサービス情報のエラーカウントによる自動学習機能の誤設定が生じないようにした電話装置に関するものである。
【背景技術】
【０００２】
従来からオフィスや家庭において、公衆回線網に接続される加入電話のような固定電話装置の他、無線通信機能により結ばれる親機と子機からなるコードレス電話装置が広く使用されている。近年では親機にファクシミリ機能を備えた電話装置やコードレス電話装置も普及している。本明細書においてはコードレス電話装置やファクシミリ機能を有する電話装置を含み電話装置ということとする。
【０００３】
これらの電話装置においては、電話装置に着信があった場合、発信元電話番号を電話装置の表示部に表示する、いわゆる、ナンバーディスプレイサービスが提供されている。また、通話中に他の電話装置から着信があった場合、一時的に当該他の電話装置との通話を接続し、当該通話終了後に待ち合わせていた元の通話接続を回復する、いわゆる、キャッチホンディスプレイサービスも提供されている。本明細書においてはこれらのサービスを総称してナンバーディスプレイ関連サービスと定義する。
【０００４】
上記のようなナンバーディスプレイ関連サービスの提供を受けるためには、通信キャリアとサービス契約を結び、電話装置に当該サービスを受けるための設定をする必要がある。コードレス電話装置においては、親機又は無線で子機操作によってこの設定を行う。電話装置へのこれらの機能設定は、入力手段の機能キーを操作して表示手段に機能設定メニュー画面を表示し、所望のサービス項目を選択し、当該サービスのオンまたはオフを入力して行うのが一般的である。ナンバーディスプレイサービスの設定においては、着信の際に発信元電話番号を表示する対象とする電話番号を入力して発信元電話番号毎に個々にナンバー表示の対象とするか否かを登録することができる。また、発信元電話番号にかかわらず全ての着信に対してナンバー表示の対象とするように設定することもできる。
【０００５】
ナンバーディスプレイサービスに対応する電話装置としては、例えば、下記の特許文献１（特開２００１−２９２２２０号公報）に「障害機能通知機能付き通信端末装置及びセンタ装置」として開示されている。
【０００６】
この特許文献１に開示された障害機能通知機能付き通信端末装置及びセンタ装置は、ナンバーディスプレイサービスを利用することにより、通信料金をかけないで、サービスセンタに、障害の発生が通知できるようにしたものであり、障害の発生を検出する手段と、障害の発生を検出したときに、予め登録したナンバーディスプレイ契約をしたセンタ装置の電話番号を発呼し、センタ装置が応答する前に回線を切断する手段と、を備えて構成されたものである。そしてこの特許文献１にはナンバーディスプレイサービスに関する機能、動作の説明が記載されている。
【０００７】
また、ファクシミリ機能を有する電話装置において、ナンバーディスプレイサービスのオン・オフ設定の状況をファクシミリ装置側で検出するようにした通信端末装置（ファクシミリ装置）も、例えば、下記の特許文献２（特開２００１−２３０８５１号公報）に開示されている。
【０００８】
この特許文献２に開示された通信端末装置は、接続された通信装置（電話装置）でナンバーディスプレイサービスの設定がされていないことが判る通信端末装置を提供するものであり、交換機から送出されてくるナンバーディスプレイサービスの起動信号を検出してから、所定時間内に、通信装置（電話装置）による応答信号を検出しないときには、通信装置（電話装置）の異常を報知するように構成したものである。
【０００９】
また、ナンバーディスプレイ関連サービスの設定を自動学習できるようにした電話装置も提案されている。自動学習機能は一般的には次のように行われる。すなわち、工場出荷時にはナンバーディスプレイサービスのオン・オフ設定はブランクであり、未学習の状態である。電話装置がユーザ納入され、ナンバーディスプレイサービス契約がなされている場合、最初の着信時においてナンバーディスプレイサービス情報の有／無を判定し、その（学習）結果に基づき、はじめてナンバーディスプレイ機能の設定がオンにされ、その設定（学習済みフラグ付加）状態がメモリ（各種設定情報を記憶するメモリ領域）に記憶される。以後の着信時には、ナンバーディスプレイサービスの学習済の設定状態が参照され、発信元の電話番号表示処理か実行される。
【００１０】
このような自動学習機能においては、着信時に回線から受信するナンバーディスプレイサービス情報（モデム信号）の受信エラーが生じた場合、そのエラー回数をカウントし、所定回数エラーが連続したら、電話装置側でナンバーディスプレイサービス契約がなされていないものと判断し、ナンバーディスプレイ機能の設定をＯＦＦに自動的に学習させるように構成されている。所定回数は、予め電話装置に設定された値であり、ナンバーディスプレイサービス契約されている公衆回線においてナンバーディスプレイサービス情報（モデム信号）の受信エラーが通常連続的には起こらないであろうと推定される値が設定される。
【特許文献１】特開２００１−２９２２２０号公報（図１）
【特許文献２】特開２００１−２３０８５１号公報（図１）
【発明の開示】
【発明が解決しようとする課題】
【００１１】
ナンバーディスプレイサービス機能がオンに設定された電話装置に着信があった場合、通信キャリア（交換機）からのナンバーディスプレイサービス情報は、当該電話装置までの電話回線を介してモデム信号によって受信される。ナンバーディスプレイサービス情報には発信元電話番号などの情報が含まれる。
【００１２】
一方、前述したようなナンバーディスプレイサービス設定の自動学習機能を有する電話装置において、ユーザがナンバーディスプレイサービス契約している場合、自動学習機能によって、最初の着信時にモデム信号により受信したナンバーディスプレイサービス情報に基づいてナンバーディスプレイサービス設定がオンに自動学習されている。
【００１３】
以降の着信時において、モデムを介して送信されるナンバーディスプレイサービス情報にエラーが検出された場合、エラー回数が所定回数を超えると、ナンバーディスプレイサービス設定がオフに自動学習されてしまう。すなわち、エラー回数が所定値を超えると、電話装置がナンバーディスプレイサービス契約されていない回線に接続されたものであると認識されてしまう。
【００１４】
しかしながら、上記特許文献１に開示された障害機能通知機能付き通信端末装置及びセンタ装置は、ナンバーディスプレイサービスを利用することにより、通信料金をかけないで、サービスセンタに、障害の発生が通知できるようにしたものであり、ナンバーディスプレイサービス機能の設定における自動学習機能を有しておらず上記の問題点に対応できない。
【００１５】
また、上記特許文献２に開示された通信端末装置（ファクシミリ装置）は、接続された通信装置（電話装置）でナンバーディスプレイサービスの設定がされていないことが判るようにしたものであり、交換機から送出されてくるナンバーディスプレイサービスの起動信号を検出してから、所定時間内に、通信装置による応答信号を検出しないときには、通信装置の異常を報知する。しかしながらこの通信端末装置ではナンバーディスプレイサービス情報の受信エラー回数によるナンバーディスプレイサービス設定の誤動作には対応できないという問題点があった。
【００１６】
本願の発明者は上記の問題点を解消すべく種々検討を重ねた結果、モデム信号、すなわち、ナンバーディスプレイサービス情報の受信エラーにおいて、ナンバーディスプレイサービス機能設定のエラーとしてエラー回数にカウントすべきでない事象が存在することを見出し、このような事象に基づく受信エラーをナンバーディスプレイサービス機能設定の自動学習におけるエラー回数にカウントしないように構成することによって上記問題点を解消し得ることを想到し本発明を完成するに至ったものである。
【００１７】
すなわち、本発明は前述の問題点を解消することを課題とし、ナンバーディスプレイサービス機能設定の自動学習機能を有する電話装置において、着信時にモデム信号で受信するナンバーディスプレイサービス情報のエラーカウントによる自動学習機能の誤設定が生じないようにした電話装置を提供することを目的とするものである。
【課題を解決するための手段】
【００１８】
前記課題を解決するために、本願の請求項１にかかる発明は、
公衆回線に接続され、ナンバーディスプレイ関連サービス機能のオン・オフを設定する設定機能を自動学習させる電話装置において、
前記電話装置は、ナンバーディスプレイ機能のオン・オフを設定するオン・オフ設定領域とナンバーディスプレイ情報の受信エラー回数をカウントするエラーカウント領域と学習結果領域とを含むナンバーディスプレイ設定の領域を有するメモリと、モデム信号によりナンバーディスプレイ情報を受信した際、該ナンバーディスプレイ情報の受信エラーの原因を検出するエラー検出部を有する制御部と、を備え、
前記エラー検出部が、モデム信号により受信するナンバーディスプレイ情報の受信エラーとすべきでないエラー事象を検出した場合は、前記エラーカウント領域のエラーカウントを行わないようになしたことを特徴とする。
【００１９】
また、請求項２にかかる発明は、請求項１の発明にかかる電話装置において、
前記エラー検出部が、モデム信号により受信するナンバーディスプレイ情報の受信中に相手方の操作による外的要因に基づく通話エラーを検出した場合は、前記エラーカウント領域のエラーカウントを行わないようになしたことを特徴とする。
【００２０】
また、請求項３にかかる発明は、請求項１の発明にかかる電話装置において、
前記エラー検出部が、モデム信号により受信するナンバーディスプレイ情報の受信中に回線極性の復極に基づく通話エラーを検出した場合は、前記エラーカウント領域のエラーカウントを行わないようになしたことを特徴とする。
【００２１】
また、請求項４にかかる発明は、請求項１の発明にかかる電話装置において、
前記エラー検出部が、モデム信号により受信するナンバーディスプレイ情報の受信を完了し、該ナンバーディスプレイ情報のデータエラーを検出した場合、前記エラーカウント領域のエラーカウントを行わないようになしたことを特徴とする。
【発明の効果】
【００２２】
請求項１にかかる発明においては、電話装置は、ナンバーディスプレイ機能のオン・オフを設定するオン・オフ設定領域とナンバーディスプレイ情報の受信エラー回数をカウントするエラーカウント領域と学習結果領域とを含むナンバーディスプレイ設定の領域を有するメモリと、モデム信号によりナンバーディスプレイ情報を受信した際、該ナンバーディスプレイ情報の受信エラーの原因を検出するエラー検出部を有する制御部と、を備え、
前記エラー検出部が、モデム信号により受信するナンバーディスプレイ情報の受信エラーとすべきでないエラー事象を検出した場合は、前記エラーカウント領域のエラーカウントを行わない。
【００２３】
従って、モデムを介して送信されるナンバーディスプレイサービス情報のエラーとして検出すべきでないエラー事象については、ナンバーディスプレイ情報の受信エラーとしてカウントしないため、エラー回数が所定回数を超え、ナンバーディスプレイサービス設定がオフに自動学習されてしまい、電話装置がナンバーディスプレイサービス契約されていない回線に接続されたものであると認識されてしまう誤動作を防止することができるようになる。
【００２４】
また、請求項２にかかる発明においては、請求項１の発明において、前記エラー検出部が、モデム信号により受信するナンバーディスプレイ情報の受信中に相手方の操作による外的要因に基づく通話エラーを検出した場合は、前記エラーカウント領域のエラーカウントを行わない。
【００２５】
従って、エラー検出部が、モデム信号により受信するナンバーディスプレイ情報の受信中に相手方の操作による外的要因に基づく通話エラーを検出しても、ナンバーディスプレイ情報の受信エラーとしてカウントしないため、エラー回数が所定回数を超え、ナンバーディスプレイサービス設定がオフに自動学習されてしまい、電話装置がナンバーディスプレイサービス契約されていない回線に接続されたものであると認識されてしまう誤動作を防止することができるようになる。
【００２６】
また、請求項３にかかる発明においては、請求項１の発明において、エラー検出部が、モデム信号により受信するナンバーディスプレイ情報の受信中に回線極性の復極に基づく通話エラーを検出した場合は、前記エラーカウント領域のエラーカウントを行わない。
【００２７】
従って、エラー検出部が、モデム信号により受信するナンバーディスプレイ情報の受信中に回線極性の復極に基づく通話エラーを検出しても、ナンバーディスプレイ情報の受信エラーとしてカウントしないため、エラー回数が所定回数を超え、ナンバーディスプレイサービス設定がオフに自動学習されてしまい、電話装置がナンバーディスプレイサービス契約されていない回線に接続されたものであると認識されてしまう誤動作を防止することができるようになる。
【００２８】
また、請求項３にかかる発明においては、請求項１の発明において、エラー検出部が、モデム信号により受信するナンバーディスプレイ情報の受信を完了し、該ナンバーディスプレイ情報のデータエラーを検出した場合、前記エラーカウント領域のエラーカウントを行わない。
【００２９】
従って、エラー検出部が、モデム信号により受信するナンバーディスプレイ情報の受信を完了し、該ナンバーディスプレイ情報のデータエラーを検出しても、ナンバーディスプレイ情報の受信エラーとしてカウントしないため、エラー回数が所定回数を超え、ナンバーディスプレイサービス設定がオフに自動学習されてしまい、電話装置がナンバーディスプレイサービス契約されていない回線に接続されたものであると認識されてしまう誤動作を防止することができるようになる。
【発明を実施するための最良の形態】
【００３０】
以下、本発明の具体例を実施例及び図面を用いて詳細に説明する。図１は、本発明の実施例にかかる電話装置であるコードレス電話装置の外観を示す図、図２はコードレス電話装置の親機である電話装置の構成を示すブロック図、図３は、本発明の実施例１にかかる電話装置の動作手順を示すフローチャート、図４は、本発明の実施例２にかかる電話装置の動作手順を示すフローチャートである。
【００３１】
なお、以下の実施例において、電話装置はコードレス電話装置を具体例としてあげ説明するが、本発明はコードレス電話装置に限ることなく、一般的な固定電話やファクシミリ機能を有するコードレス電話装置、ファクシミリ装置を接続した電話装置などに適用可能である。
【００３２】
図１は、本発明の実施例１にかかるコードレス電話装置１０の外観を示す図である。コードレス電話装置１０は親機２０と子機３０とが無線で接続された構成となっており、子機３０から親機２０を介して通話の受信、発信が行えるようになっている。親機２０は、ナンバーディスプレイサービスの契約を行っている公衆回線に接続され、ナンバーディスプレイサービスの設定の自動学習機能を備えたものである。
【００３３】
図２は親機２０の構成を示すブロック図である。親機２０は図２に示すように、電話回線制御部２１、音声信号処理部２２、無線部２３、制御部２４、マイク・スピーカ部２５、操作・表示部２６、メモリ２７、アンテナ２８を備えて構成されている。制御部２４はマイクロプロセッサからなる制御回路であり、図示していないＲＯＭ、ＲＡＭを備えている。ＲＯＭには各部動作を制御するプログラムを記憶しており、制御部２４が通話時間の計時、通話料金の算出を行えるプログラムなども書き込まれている。ＲＡＭには制御部２４の動作に必要な情報を記憶する。
【００３４】
電話回線制御部２１は公衆回線Ｎからの着信、公衆回線Ｎへの発信を制御するものであり、着信検出、ダイアルトーン検出などを行う。音声信号処理部２２は受話音声信号を処理してマイク・スピーカ部２５を介して出力し、あるいは、マイク・スピーカ部２５を介して入力された送話音声を処理して音声信号に変換して送出する。無線部２３はアンテナ２８を介して子機３０との間で発信信号、着信信号、送話音声信号、受信音声信号を通信する。
【００３５】
操作・表示部２６は、ディスプレイ、機能キー、数字キーなどから構成され、数字キーは発信の際の電話番号入力に用いられ、機能キーは種々の機能を選択したり設定したりするために用いられる。すなわち、機能キーを操作してディスプレイに所望の機能設定画面を表示してコードレス電話装置１０の種々の機能設定をしたり、通信キャリアが提供する種々のサービス機能のオン・オフの設定をしたりすることができる。例えば、ナンバーディスプレイサービスやキャッチホンディスプレイサービス、ネームディスプレイサービスなどのオン・オフの設定ができる。本明細書においては、ナンバーディスプレイサービスやキャッチホンディスプレイサービス、ネームディスプレイサービスなどのサービスを総称してナンバーディスプレイ関連サービスということとする。
【００３６】
メモリ２７にはコードレス電話装置の各種機能の設定状況や、上記のナンバーディスプレイ関連サービスの設定状況などが記憶される他、ユーザが入力する電話帳、短縮ダイヤルの登録情報を記憶することができる。
【００３７】
そして、メモリ２７にはナンバーディスプレイサービス設定２７１の領域に、オン・オフ設定２７２の領域、エラーカウント２７３の領域、学習結果２７４の領域が設けられている。
【００３８】
工場出荷時にはナンバーディスプレイサービスのオン・オフ設定２７２はブランクであり、未学習の状態、すなわち、この時点では学習結果２７４はブランク（未学習）の状態である。コードレス電話装置１０（親機２０）がユーザ納入され、ナンバーディスプレイサービス契約がなされている場合、最初の着信時においてナンバーディスプレイサービス情報の有／無を判定し、その結果（学習）に基づき、はじめてナンバーディスプレイ機能の設定オンがオン・オフ設定２７２に記憶されて学習結果２７４にオンのフラグが設定さる。これで自動学習機能が学習済の状態になり、以後の着信時には、ナンバーディスプレイサービスの学習済の設定状態が参照され、発信元の電話番号表示処理が実行される。
【００３９】
制御部２４にはエラー検出部２４１が備えられており、以降の着信時において、回線接続や通話およびモデムを介して送信されるナンバーディスプレイサービス情報の受信にエラーがあるか否かを検出する。ナンバーディスプレイ情報の受信エラーが検出された場合、エラー回数がエラーカウント２７３の領域にカウントされる。そして、エラーの回数（カウント値）が所定回数を超えると、コードレス電話装置１０（親機２０）がナンバーディスプレイサービス契約されていない回線に接続されたものであると認識され、ナンバーディスプレイサービス設定がオフ（オン・オフ設定２７２がオフ状態にされ）に自動学習されてしまう。
【００４０】
ここで、モデム信号により公衆回線から親機２０にナンバーディスプレイ情報が受信されて、エラー検出される事象の中に、ナンバーディスプレイサービスの設定のエラー、すなわち、自動学習機能のエラーとしてエラー回数にカウントすべきでない事象が存在する。本発明においては、エラー検出部２４１においてこのような事象のエラーが検出された場合には、ナンバーディスプレイの設定エラー、自動学習機能のエラーとしてカウントしないように制御する。
【００４１】
例えば、ナンバーディスプレイサービス設定の自動学習結果が「未学習」、または、学習済でナンバーディスプレイサービス設定が「オン」の状態で、着信（外線着信）があった場合、次のようなエラー事象が生じた場合である。
【００４２】
すなわち、着信時に交換機からモデム信号で送信されるナンバーディスプレイサービス情報の受信シーケンスにおいて、ＦＳＫモデム信号受信中に相手側の終話操作（例えば、オンフック操作）により回線極性が復極したことを検出した場合、結果的に受信エラーとして検出されるため、従来は、ナンバーディスプレイ情報の受信エラーとしてカウントされていた。
【００４３】
上記の場合、モデム信号により交換機から送信されるナンバーディスプレイ情報のＦＳＫモデム信号は受信中であり、この間に回線極性の復極が検出された場合は、相手方が終話操作したことを意味する。すなわち、これは相手方（発信側）の要因（外的要因）で通話そのものが受信エラーになったものであるから、本来、ナンバーディスプレイ情報の受信エラーとしてカウントすべき事象ではない。従って、本実施例においては、制御部２４のエラー検出部２４１において、ナンバーディスプレイサービス情報の受信シーケンスにおいて、モデム信号ＦＳＫ受信中に回線極性が復極したことを検出した場合には、ＦＳＫ信号は受信、確認できたものと判定してエラーカウント２７３のカウントを行わないように制御する。
【００４４】
図３は、上記の制御手順を示すフローチャートである。親機２０はナンバーディスプレイサービスに加入した回線に接続されているものとする。そしてナンバーディスプレイサービス設定の自動学習結果が「未学習」、または、学習済でナンバーディスプレイサービス設定が「オン」の状態であるとする。
【００４５】
親機２０はステップＳＴ１０の処理において、着信信号（外線着信信号）を受信する。次いで、ステップＳＴ１１の処理においてモデム信号によりナンバーディスプレイ情報の受信が行われ、このシーケンスにおいてモデムのＦＳＫ信号の受信エラーが発生した場合、ステップＳＴ１２の処理においてエラー検出部２４１はその原因を判定する。そして原因が相手方終話操作による回線極性の復極など相手方の終話操作など外的要因によるものである場合、ナンバーディスプレイ情報（ＮＤ）のエラーとせず、ステップＳＴ１３の処理に進み、エラーカウント２７３のカウントを行わない。
【００４６】
一方、ステップＳＴ１２の処理において、エラー検出部２４１が判定したエラー原因が相手方の終話操作など外的要因によらないものである場合、ナンバーディスプレイ情報（ＮＤ）のエラーとし、ステップＳＴ１４の処理に進み、エラーカウント２７３のカウントを行う。
【００４７】
このように制御することによって、ナンバーディスプレイサービス設定がオンに自動学習されている。または、未学習の状態での着信時にモデムを介して送信されるナンバーディスプレイサービス情報のエラーとして検出すべきでないエラー事象についてはエラーカウントされないため、エラー回数が所定回数を超え、ナンバーディスプレイサービス設定がオフに自動学習されてしまう。すなわち、コードレス電話装置１０がナンバーディスプレイサービス契約されていない回線に接続されたものであると認識されてしまう誤動作を防止することができるようになる。
【００４８】
次に、本発明の実施例２にかかる電話装置について説明する。実施例２にかかる電話装置のハードウエア構成は、図１、図２に示す実施例１にかかる電話装置と同様である。本実施例においては、モデム信号により公衆回線から親機２０にナンバーディスプレイ情報の受信エラーとしてカウントすべきでない他の事象について対応するように構成したものである。
【００４９】
例えば、ナンバーディスプレイサービス設定の自動学習結果が「未学習」、または、学習済でナンバーディスプレイサービス設定が「オン」の状態で、着信（外線着信）があった場合、次のようなエラー事象が生じた場合である。
【００５０】
すなわち、着信時に交換機からモデム信号で送信されるナンバーディスプレイサービス情報の受信シーケンスにおいて、モデム信号ＦＳＫ受信は完了したが、ナンバーディスプレイ情報の受信データそのものにＣＲＣチェックエラーやパリティーチェックエラーが検出された事象が生じた場合である。この場合も結果的に受信エラーとして検出されるため、従来は、ナンバーディスプレイ情報の受信エラーとしてカウントされていた。
【００５１】
上記の場合、モデム信号により交換機から送信されるナンバーディスプレイ情報のＦＳＫモデム信号は受信完了し、ナンバーディスプレイ情報の存在は親機２０において確認できており、データそのものにエラーがあったものであるから、本来、ナンバーディスプレイ情報の受信エラーとしてカウントすべき事象ではない。従って、本実施例においては、制御部２４のエラー検出部２４１において、ナンバーディスプレイサービス情報の受信シーケンスにおいて、ナンバーディスプレイ情報の受信データそのものにＣＲＣチェックエラーやパリティーチェックエラーを検出した場合には、エラーカウント２７３のカウントを行わないように制御する。
【００５２】
図４は、上記の制御手順を示すフローチャートである。親機２０はナンバーディスプレイサービスに加入した回線に接続されているものとする。そしてナンバーディスプレイサービス設定の自動学習結果が「未学習」、または、学習済でナンバーディスプレイサービス設定が「オン」の状態であるとする。
【００５３】
親機２０はステップＳＴ２０の処理において、着信信号（外線着信信号）を受信し、モデム信号によりナンバーディスプレイ情報の受信が行われる。ステップＳＴ２１の処理においてエラー検出部２４１においてナンバーディスプレイ情報（ＮＤ情報）データそのもののエラー、例えば、ＣＲＣチェックエラーやパリティーチェックエラーが検出されると、ステップＳＴ２２の処理において、ＦＳＫモデム信号が受信されたか否かを判別する。
【００５４】
ステップＳＴ２２においてＦＳＫモデム信号が受信完了していれば、ナンバーディスプレイ情報（ＮＤ）のエラーとせず、ステップＳＴ２３の処理に進み、エラーカウント２７３のカウントを行わない。一方、ＦＳＫモデム信号が受信完了していなければ、ステップＳＴ２４の処理に進み、エラーカウント２７３のカウントを行う。
受信が行われ、このシーケンスにおいてＦＳＫモデム信号の受信エラーが発生した場合、ステップＳＴ１２の処理においてエラー検出部２４１はその原因を判定する。そして原因が回線極性の復極など相手方の終話操作など外的要因によるものである場合、ナンバーディスプレイ情報（ＮＤ）のエラーとせず、ステップＳＴ１３の処理に進み、エラーカウント２７３のカウントを行わない。
【００５５】
このように制御することによって、ナンバーディスプレイサービス設定がオンに自動学習されている。または、未学習の状態での着信時にモデムを介して送信されるナンバーディスプレイサービス情報のエラーとして検出すべきでないエラー事象についてはエラーカウントされないため、エラー回数が所定回数を超え、ナンバーディスプレイサービス設定がオフに自動学習されてしまう。すなわち、コードレス電話装置１０がナンバーディスプレイサービス契約されていない回線に接続されたものであると認識されてしまう誤動作を防止することができるようになる。
【００５６】
以上、説明したように、本発明においては、回線接続や通話、モデム信号として受信するナンバーディスプレイ情報の受信エラーの事象を切り分け、本来ナンバーディスプレイ情報の受信エラーとしてカウントすべきでないエラー事象についてはエラーカウントを行わないように制御するものであるから、ナンバーディスプレイ設定の自動学習機能のエラーを生ずることがなくなる。
【００５７】
なお、上記実施例１、実施例２において、ナンバーディスプレイサービス設定の自動学習結果が「未学習」の場合は、本来ナンバーディスプレイ情報の受信エラーとしてカウントすべきでないエラー事象についてはエラーカウントをしないようにせ制御するが、この場合においては、学習結果はナンバーディスプレイ設定にオンが設定されるとともに、学習結果として学習済の設定がなされる。
【図面の簡単な説明】
【００５８】
【図１】本発明の実施例にかかるコードレス電話装置の外観を示す図である。
【図２】本発明の実施例にかかるコードレス電話装置の親機である電話装置の構成を示すブロック図である。
【図３】本発明の実施例１にかかる電話装置の動作手順を示すフローチャートである。
【図４】本発明の実施例２にかかる電話装置の動作手順を示すフローチャートである。
【符号の説明】
【００５９】
１０・・・・コードレス電話装置
２０・・・・親機
２１・・・・電話回線制御部
２２・・・・音声信号処理部
２３・・・・無線部
２４・・・・制御部
２４１・・・エラー検出部
２５・・・・マイク・スピーカ部
２６・・・・操作・表示部
２７・・・・メモリ
２７１・・・ナンバーディスプレイ設定（領域）
２７２・・・オン・オフ設定（領域）
２７３・・・エラーカウント（領域）
２７４・・・学習結果（領域）
２８・・・・アンテナ
３０・・・・子機
Ｎ・・・・・公衆回線
【図１】
0004416705.tif 000002
【図２】
0004416705.tif 000003
【図３】
0004416705.tif 000004
【図４】
0004416705.tif 000005